(57)【特許請求の範囲】
【請求項１】
被転写物の表面に転写層が接触された転写フィルムに対して前記被転写物とは反対側に配置された転写型の収納部に設けられ、前記収納部と前記転写フィルムとで囲まれ且つ密閉された温度調整空間内に飽和蒸気を放出して前記転写フィルムを加熱する加熱手段と、
前記転写フィルムを前記被転写物側へ加圧して前記被転写物の表面に前記転写層を転写する加圧手段と、
を備えた転写装置。
【請求項２】
前記飽和蒸気は、液相を含まない乾き飽和蒸気とされる請求項１に記載の転写装置。
【請求項３】
前記飽和蒸気は、大気圧下における大気圧飽和蒸気とされる請求項１又は請求項２に記載の転写装置。
【請求項４】
前記飽和蒸気は、大気圧未満の気圧下における真空飽和蒸気とされる請求項１又は請求項２に記載の転写装置。
【請求項５】
前記転写フィルムに対して前記被転写物とは反対側の気圧を調整する圧力調整手段を備えた請求項１〜請求項４の何れか１項に記載の転写装置。
【請求項６】
前記飽和蒸気を前記転写フィルムに対して前記被転写物とは反対側に下側から供給する請求項１〜請求項５の何れか１項に記載の転写装置。
【発明の詳細な説明】
【技術分野】
【０００１】
本発明は、被転写物の表面に転写フィルムの転写層を転写する転写装置に関する。
【背景技術】
【０００２】
下記特許文献１では、ステアリングホイールを転写シートが被覆した状態で、ホットエアーによって転写シートを加熱することで、転写シートのインク層がステアリングホイールに転写される。
【０００３】
ここで、ホットエアーの熱容量は小さい。このため、ホットエアーが転写シートを加熱すると、ホットエアーの温度が容易に下がる。
【０００４】
これにより、転写シートを加熱するためには、長時間かかる。
【０００５】
また、転写シートの一部位を加熱して温度が下がったホットエアーが、転写シートの他部位を加熱すると、当該他部位を十分に加熱できない。このため、転写シートの部位による加熱温度のばらつきが大きくなる。
【先行技術文献】
【特許文献】
【０００６】
【特許文献１】特開２００７−１６８１２１号公報
【発明の概要】
【発明が解決しようとする課題】
【０００７】
本発明は、上記事実を考慮し、転写フィルムを短時間で均一に加熱できる転写装置を提供することを目的とする。
【課題を解決するための手段】
【０００８】
請求項１に記載の転写装置は、被転写物の表面に転写層が接触された転写フィルムに対して前記被転写物とは反対側に配置された転写型の収納部に設けられ、前記収納部と前記転写フィルムとで囲まれ且つ密閉された温度調整空間内に飽和蒸気を放出して前記転写フィルムを加熱する加熱手段と、前記転写フィルムを前記被転写物側へ加圧して前記被転写物の表面に前記転写層を転写する加圧手段と、を備えている。
【０００９】
請求項２に記載の転写装置は、請求項１に記載の転写装置において、前記飽和蒸気は、液相を含まない乾き飽和蒸気とされる。
【００１０】
請求項３に記載の転写装置は、請求項１又は請求項２の転写装置において、前記飽和蒸気は、大気圧下における大気圧飽和蒸気とされる。
【００１１】
請求項４に記載の転写装置は、請求項１又は請求項２の転写装置において、前記飽和蒸気は、大気圧未満の気圧下における真空飽和蒸気とされる。
【００１２】
請求項５に記載の転写装置は、請求項１〜請求項４の何れか１項に記載の転写装置において、前記転写フィルムに対して前記被転写物とは反対側の気圧を調整する圧力調整手段を備えている。
【００１３】
請求項６に記載の転写装置は、請求項１〜請求項５の何れか１項に記載の転写装置において、前記飽和蒸気を前記転写フィルムに対して前記被転写物とは反対側に下方から供給する。
【発明の効果】
【００１４】
請求項１に記載の転写装置では、転写層が設けられた転写フィルムが被転写物の表面に転写層を接触された状態で配置されている。この転写フィルムと転写型の収納部とで囲まれた空間が温度調整空間とされており、温度調整空間は密閉されている。そして、加熱手段によって温度調整空間へ放出された飽和蒸気が転写フィルムを加熱し、かつ、加圧手段が、転写フィルムを被転写物側へ加圧して、被転写物の表面に転写フィルムの転写層を転写する。
【００１５】
ここで、飽和蒸気は、液体と気体とが平衡状態となっているときの蒸気である。この飽和蒸気は、一定温度（沸点）で熱容量の変化によって液相と気相の割合が変化し、熱容量が大きくなるのに従って気相の割合が増える。
【００１６】
このため、飽和蒸気が転写フィルムを加熱する際に、飽和蒸気の気相がなくなるまでは温度が下がることがないため、飽和蒸気の温度が下がることを抑制できる。
【００１７】
これにより、転写フィルムを短時間で加熱することができる。
【００１８】
また、飽和蒸気が転写フィルムの一部位を加熱する際に、当該飽和蒸気の温度が下がることが抑制されるため、当該飽和蒸気が転写フィルムの他部位を十分に加熱することができる。これにより、転写フィルムを均一に加熱することができる。
【００１９】
請求項２に記載の転写装置では、飽和蒸気は液相を含まない乾き飽和蒸気とされる。飽和蒸気では乾き飽和蒸気の熱容量が最大となる。このため、飽和蒸気が転写フィルムを加熱する際に、飽和蒸気の温度が下がるまでの熱容量の余裕を最大にすることができる。
【００２０】
これにより、転写フィルムを更に短時間で均一に加熱することができる。
【００２１】
請求項３に記載の転写装置では、飽和蒸気は大気圧下における大気圧飽和蒸気とされる。このため、飽和蒸気の蒸気圧を制御する必要がないため、転写装置を簡略化することができる。
【００２２】
請求項４に記載の転写装置では、飽和蒸気は大気圧未満の気圧下における真空飽和蒸気とされる。真空飽和蒸気は、沸点が低い飽和蒸気であるため、例えば、耐熱温度の低い樹脂製の被転写物に転写フィルムの転写層を転写することができる。
【００２３】
請求項５に記載の転写装置では、圧力調整手段が転写フィルムに対して被転写物とは反対側の気圧を調整する。このため、例えば、圧力調整手段が転写フィルムに対して被転写物とは反対側の気圧を飽和蒸気の蒸気圧と同じに調整することにより、温度を保って転写フィルムへ飽和蒸気を供給することができる。
【００２４】
請求項６に記載の転写装置では、飽和蒸気を転写フィルムに対して被転写物とは反対側に下側から供給する。このため、飽和蒸気が転写フィルムを加熱して変化した液体を下側に容易に排出できる。
【図面の簡単な説明】
【００２５】
【図１】本発明の第１の実施の形態に係る転写装置の縦断面図である。
【図２】転写フィルムの断面図である。
【図３】（Ａ）及び（Ｂ）は、転写フィルムの転写層の被転写物への転写状況を示す断面図であり、（Ａ）は、転写フィルムの高温部における転写柄抜け状況を示す断面図であり、（Ｂ）は、転写フィルムの低温部における転写柄抜け状況を示す断面図である。
【図４】本発明の第２の実施の形態に係る転写装置の縦断面図である。
【図５】本発明の第１の実施の形態に係る転写装置の別例の縦断面図である。
【発明を実施するための形態】
【００２６】
［第１の実施の形態］
【００２７】
図１には、本発明の第１の実施の形態に係る転写装置１０の縦断面図が示されている。なお、図面では、転写装置１０の上方を矢印ＵＰで示し、転写装置１０の右方を矢印ＲＨで示す。
【００２８】
図１に示す如く、転写装置１０は、収容体としての略直方体容器状の転写型２０を備えており、転写型２０は、アルミニウム材で形成されている。
【００２９】
転写型２０は、収容部としての固定型２２を有しており、固定型２２は、転写型２０の上側部分を構成している。また、固定型２２は、下側が開口した略直方体容器状にされて、上壁２２Ａと周壁２２Ｂとが設けられている。
【００３０】
転写型２０は、収納部としての可動型２４を有しており、可動型２４は、固定型２２に対向する位置で転写型２０の下側部分を構成している。また、可動型２４は、上側が開口した略直方体容器状にされて、下壁２４Ａと周壁２４Ｂとが設けられている。下壁２４Ａと周壁２４Ｂとの内側には断熱材２５が配置されている。
【００３１】
可動型２４は、型締装置４０に連絡されており、型締装置４０は可動型２４を上下方向に移動可能にされている。このため、型締装置４０が可動型２４を下方向に移動させることにより、可動型２４が固定型２２から離れて、転写型２０内が開放される。
【００３２】
固定型２２内には、装着部としてのセット台２７が固定されており、セット台２７には、転写型２０内が開放された状態で被転写物５０が脱落しないように固定される。被転写物５０は、樹脂製の立体成形体である。なお、被転写物５０は、金属製又は木材であってもよい。
【００３３】
被転写物５０の可動型２４側には、転写型２０内が開放された状態で転写フィルム６０が配置される。
【００３４】
図２に示す如く、転写フィルム６０は、フィルム基材６２と離型層６４と転写層（インク層）６６とを備えており、フィルム基材６２に離型層６４、転写層６６の順で積層されている。転写層６６には、グラビア印刷等により杢柄等の転写柄が描かれており、転写層６６が被転写物５０に接触される。転写層６６は、所定温度以上に加熱された後に冷却されることで、被転写物５０に接着可能にされている。離型層６４は、シリコン系樹脂等で形成されて、転写層６６のフィルム基材６２からの離型力を調整している。
【００３５】
図１に示す如く、転写型２０内に被転写物５０及び転写フィルム６０が配置された後には、型締装置４０が可動型２４を上方向に移動させることにより、転写型２０内が閉じられて、固定型２２の開口縁部と可動型２４の開口縁部との間に転写フィルム６０が挟持される。このため、転写フィルム６０と固定型２２の開口縁部との間が密閉されて、被転写物５０もしくはセット台２７と転写フィルム６０とで囲まれた空間（以下、「気圧調整空間２６」という）が形成される。また、転写フィルム６０と可動型２４の開口縁部との間が密閉されて、可動型２４と転写フィルム６０とで囲まれた空間（以下、「温度調整空間２８」という）が形成される。
【００３６】
固定型２２の上壁２２Ａには、排出部としての排気孔３０が貫通されており、排気孔３０は、セット台２７内を貫通して被転写物５０の端部まで延設されている。排気孔３０には、バルブ３３を介して減圧手段としての真空ポンプ３２が連通されている。バルブ３３は、開閉弁とされており、バルブ３３が開けられて、排気孔３０と真空ポンプ３２とがバルブ３３を介して連通することで、真空ポンプ３２が、排気孔３０を介して気圧調整空間２６から空気を排出して気圧調整空間２６の気圧を減圧する。このため、気圧調整空間２６の気圧より温度調整空間２８の気圧（大気圧）が高くなることにより、転写フィルム６０が、温度調整空間２８側から気圧調整空間２６側に押圧（加圧）されて、被転写物５０の表面に当該表面形状に追従して被覆される。
【００３７】
転写フィルム６０が被転写物５０の表面に被覆された後には、バルブ３３が閉じられることで、気圧調整空間２６内の気圧が保たれる。
【００３８】
可動型２４の下壁２４Ａには、供給部としての噴出孔３４が形成されており、噴出孔３４には、バルブ８０が連通している。バルブ８０は、加熱手段としての蒸気発生装置８２と冷却手段としての冷却装置８４と加圧手段としての加圧装置８６とに連通されており、バルブ８０は、噴出孔３４の連通先を蒸気発生装置８２と冷却装置８４と加圧装置８６とに切り替え可能にされている。
【００３９】
蒸気発生装置８２は、大気圧下における、例えば、水の飽和蒸気（大気圧飽和蒸気）を発生して、飽和蒸気をバルブ８０を介して噴出孔３４から温度調整空間２８に供給（噴出）する。ここで、飽和蒸気は、液体と気体とが平衡状態となっているときの蒸気である。この飽和蒸気は、一定温度（沸点）で熱容量の変化によって液相と気相の割合が変化し、熱容量が大きくなるのに従って気相の割合が増える。
【００４０】
温度調整空間２８に飽和蒸気が供給されると、飽和蒸気によって転写フィルム６０が加熱される。また、可動型２４の下壁２４Ａには、排出孔３６が貫通形成されており、排出孔３６には、バルブ３７が連通されている。バルブ３７は、開閉弁とされており、温度調整空間２８に飽和蒸気が供給される際にはバルブ３７が開けられて、後述の如く加圧装置８６により温度調整空間２８に圧縮空気が供給される際にバルブ３７が閉じられる。
【００４１】
次に、加圧装置８６によりバルブ８０を介して噴出孔３４から温度調整空間２８に圧縮空気が供給される。これにより、転写フィルム６０が温度調整空間２８側から気圧調整空間２６側に押圧されることで、転写フィルム６０が被転写物５０の表面に密着される。
【００４２】
また、加圧装置８６が圧縮空気を温度調整空間２８に供給した後には、冷却装置８４は、バルブ８０を介して噴出孔３４から温度調整空間２８に、冷却空気を供給する。このため、冷却空気が転写フィルム６０を冷却する。この際には、バルブ３７が開けられることで、圧縮空気及び飽和蒸気の温度が低下して飽和蒸気が変化した液体（ドレン）が可動型２４から排出孔３６及びバルブ３７を介して排出される。
【００４３】
次に、本実施の形態の作用を説明する。
【００４４】
以上の構成の転写装置１０では、型締装置４０が可動型２４を下方向へ移動させて、転写型２０内が開放される。さらに、被転写物５０を固定型２２内のセット台２７に固定して、転写フィルム６０を被転写物５０の可動型２４側に配置する。そして、型締装置４０が、可動型２４を上方向に移動させることにより、転写型２０内が閉じられる。
【００４５】
その後、真空ポンプ３２が、排気孔３０を介して気圧調整空間２６から空気を排出して、気圧調整空間２６の気圧を減圧する。このため、気圧調整空間２６の気圧より温度調整空間２８の気圧が高くなることで、転写フィルム６０が、温度調整空間２８側から気圧調整空間２６側に押圧されて、被転写物５０の表面に被覆される。
【００４６】
この状態で、蒸気発生装置８２が、大気圧下における飽和蒸気を発生して、飽和蒸気を噴出孔３４から温度調整空間２８に供給する。これにより、転写フィルム６０が、所定温度以上に加熱される。
【００４７】
次に、加圧装置８６により温度調整空間２８に圧縮空気が供給される。これにより、上記の転写フィルム６０に対する温度調整空間２８側から気圧調整空間２６側への押圧によって、転写フィルム６０（転写層６６）が被転写物５０の表面に密着される。
【００４８】
その後、冷却装置８４が噴出孔３４から温度調整空間２８に冷却空気を供給することで、転写フィルム６０が冷却されて、転写層６６が被転写物５０の表面に接着される。これにより、転写層６６が被転写物５０の表面に転写される。
【００４９】
さらに、型締装置４０が可動型２４を下方向へ移動させることにより、転写型２０内が開放される。そして、転写フィルム６０のフィルム基材６２を被転写物５０より除去することで、転写フィルム６０の転写層６６が離型層６４から離型（分離）して、転写層６６だけが被転写物５０の表面に残存する。これにより、転写層６６の転写柄によって、被転写物５０の表面が加飾される。
【００５０】
このように、転写フィルム６０を飽和蒸気によって所定温度以上に加熱した後に加圧、冷却することで、転写層６６が被転写物５０の表面に接着されて、転写層６６が被転写物５０の表面に転写される。
【００５１】
ここで、飽和蒸気は熱容量が大きく、飽和蒸気が転写フィルム６０を加熱する際に、飽和蒸気の気相がなくなるまでは温度が下がることがないため、飽和蒸気の温度が下がることを抑制できる。
【００５２】
これにより、転写フィルム６０を短時間で飽和蒸気温度に加熱することができる。このため、転写フィルム６０の転写層６６を被転写物５０に転写する工程を短時間で行うことができ、生産性を向上させることができる。
【００５３】
また、飽和蒸気が転写フィルム６０の一部位を加熱する際に、当該飽和蒸気の温度が下がることが抑制されるため、当該飽和蒸気が転写フィルム６０の他部位を十分に加熱することができる。このため、転写フィルム６０を均一に加熱することができる。
【００５４】
これにより、転写フィルム６０の加熱温度のばらつきによって、転写フィルム６０を被転写物５０から除去するときに、以下に述べる転写層６６が被転写物５０の表面に残存しないという転写不良を抑制できる。
【００５５】
すなわち、例えば、図３（Ａ）に示す如く、転写フィルム６０の所定温度より相当高い温度まで加熱された部位では、転写層６６が熱劣化する。このため、転写フィルム６０のフィルム基材６２を被転写物５０から除去するときに、転写層６６が厚さ方向中間部において分割されて、転写層６６の厚み方向の一部分のみが被転写物５０の表面に残存することで転写柄の抜けが発生する。
【００５６】
また、例えば、図３（Ｂ）に示す如く、転写フィルム６０の所定温度より相当低い温度にしか加熱されなかった部位では、転写層６６の加熱不足によって、転写層６６が被転写物５０の表面に適切に接着されない。このため、転写フィルム６０のフィルム基材６２を被転写物５０から除去するときに、転写層６６の厚さ方向の全体が被転写物５０の表面に残存しないことで転写柄の抜けが発生する。
【００５７】
さらに、転写型２０の内壁は断熱材２５で形成されている。このため、転写型２０が、温度調整空間２８に供給された飽和蒸気の熱を奪わないため、飽和蒸気の温度が下がることを一層抑制できる。これにより、転写フィルム６０を一層短時間で均一に所定温度以上に加熱することができる。
【００５８】
また、蒸気発生装置８２は、大気圧下における飽和蒸気を発生して、噴出孔３４から温度調整空間２８に供給している。このため、飽和蒸気の蒸気圧を制御する必要がないため、転写装置１０を簡略化することができる。
【００５９】
さらに、蒸気発生装置８２は、可動型２４の下壁２４Ａに形成された噴出孔３４から飽和蒸気を供給して転写フィルム６０を加熱している。このため、飽和蒸気が転写フィルム６０を加熱して変化した液体を、排出孔３６を介して転写型２０の下側に容易に排出できる。
【００６０】
また、転写フィルム６０が被転写物５０に対して下側に配置されて、飽和蒸気が被転写物５０に対して下方から供給されることで、転写フィルム６０の転写層６６が被転写物５０に転写される。このため、仮に、飽和蒸気の温度が飽和温度を下回ることで飽和蒸気が変化した液体が転写フィルム６０の表面に付着した場合でも、転写フィルム６０が被転写物５０に対して下側に配置されること及び温度調整空間２８での飽和蒸気の対流により、転写フィルム６０の表面から液体が取り除かれつつ、新たに供給される飽和蒸気によって継続して転写フィルム６０を加熱することができる。これにより、転写フィルム６０全体を均一に加熱することができる。
【００６１】
［第２の実施の形態］
【００６２】
図４には、本発明の第２の実施の形態に係る転写装置１００の縦断面図が示されている。図面では、転写装置１００の上方を矢印ＵＰで示し、転写装置１００の右方を矢印ＲＨで示す。
【００６３】
本実施の形態に係る転写装置１００は、上記第１の実施の形態と、ほぼ同様の構成であるが、以下の点で異なる。
【００６４】
図４に示す如く、本実施の形態の転写装置１００では、被転写物５０は樹脂製の立体成形体である。また、転写フィルム６０の転写層６６は、所定温度より低い特定温度以上に加熱された後に冷却されることで、被転写物５０に接着可能となっている。
【００６５】
蒸気発生装置８２は、大気圧未満の気圧下における、例えば、水の飽和蒸気（真空飽和蒸気）を発生して、バルブ３７が閉じられた状態で、真空飽和蒸気をバルブ８０を介して噴出孔３４から温度調整空間２８に供給する。ここで、真空飽和蒸気は、温度（沸点）が大気圧飽和蒸気より低い。
【００６６】
可動型２４の周壁２４Ｂには、調整部としての圧力調整孔９２が形成されており、圧力調整孔９２は圧力調整手段としての圧力調整装置９０と連通している。圧力調整装置９０は、バルブ３７が閉じられた状態で、圧力調整孔９２を介して温度調整空間２８から空気を排出して、温度調整空間２８の気圧を上記真空飽和蒸気の蒸気圧と等圧に調整する。
【００６７】
また、真空ポンプ３２は、バルブ３７が開けられた状態で、気圧調整空間２６の気圧を温度調整空間２８の気圧より低い気圧に減圧する。このため、気圧調整空間２６の気圧より温度調整空間２８の気圧が高くなるため、転写フィルム６０が、温度調整空間２８側から気圧調整空間２６側に押圧されて、被転写物５０の表面に被覆される。
【００６８】
次に、本実施の形態の作用を説明する。
【００６９】
以上の構成の転写装置１００では、第１の実施の形態と同様に、転写型２０内に被転写物５０を固定して、転写フィルム６０が配置され後に、転写型２０内が閉じられる。
【００７０】
その後、真空ポンプ３２が、排気孔３０を介して気圧調整空間２６から空気を排出して、気圧調整空間２６の気圧を減圧させる。また、圧力調整装置９０が、圧力調整孔９２を介して温度調整空間２８から空気を排出して、温度調整空間２８の気圧を減圧させる。これにより、気圧調整空間２６の気圧より温度調整空間２８の気圧が高くされることで、転写フィルム６０が、温度調整空間２８側から気圧調整空間２６側に押圧されて、被転写物５０の表面を被覆する。
【００７１】
この状態で、蒸気発生装置８２が、大気圧未満の気圧下における真空飽和蒸気を発生して、真空飽和蒸気を噴出孔３４から温度調整空間２８に供給する。これにより、転写フィルム６０が特定温度以上に加熱される。
【００７２】
次に、加圧装置８６により温度調整空間２８に圧縮空気が供給される。これにより、転写フィルム６０に対する温度調整空間２８側から気圧調整空間２６側への押圧によって、転写フィルム６０（転写層６６）が被転写物５０の表面に密着される。
【００７３】
そして、冷却装置８４が噴出孔３４から温度調整空間２８に冷却空気を供給することで、転写フィルム６０が冷却されて、転写層６６が被転写物５０の表面に接着される。これにより、転写層６６が被転写物５０の表面に転写される。
【００７４】
その後は、第1の実施の形態と同様に、転写フィルム６０のフィルム基材６２を被転写物５０より除去することで、転写フィルム６０の転写層６６が離型層６４から分離して、転写層６６だけが被転写物５０の表面に残存する。これにより、転写層６６の転写柄によって、被転写物５０の表面が加飾される。
【００７５】
ここで、本実施の形態でも、上記第１の実施の形態と同様の作用及び効果を奏することができる。
【００７６】
また、蒸気発生装置８２が発生した真空飽和蒸気は、大気圧飽和蒸気よりも沸点が低い飽和蒸気であるため、例えば、耐熱温度の低い樹脂製の被転写物５０に転写フィルム６０の転写層６６を転写することができる。
【００７７】
さらに、圧力調整装置９０が、圧力調整孔９２を介して温度調整空間２８から空気を排出する。このため、蒸気発生装置８２が発生した真空飽和蒸気が噴出孔３４から温度調整空間２８に引き込まれるように供給される。これにより、温度調整空間２８に真空飽和蒸気を良好に供給でき、転写フィルム６０を更に短時間で加熱することができる。
【００７８】
また、上述の如く、圧力調整装置９０が、圧力調整孔９２を介して温度調整空間２８から空気を排出するため、温度調整空間２８の上部に空気が滞留することを良好に抑制できる。このため、当該滞留した空気が転写フィルム６０の上部を断熱膜として覆うことにより、転写フィルム６０の上部の加熱が阻害されることを抑制できる。これにより、転写フィルム６０の上部と他の部位との加熱温度のばらつきを良好に抑制することができ、転写フィルム６０を良好に均一に加熱することができる。
【００７９】
さらに、圧力調整装置９０が温度調整空間２８の気圧を蒸気発生装置８２が発生する真空飽和蒸気の蒸気圧と等圧に調整する。このため、真空飽和蒸気の温度を保ちつつ真空飽和蒸気を転写フィルム６０に供給することができる。これにより、転写フィルム６０を真空飽和蒸気によって適切に加熱することができる。
【００８０】
（変形例）
【００８１】
本変形例では、蒸気発生装置８２が、大気圧よりも高い気圧下における高温（１００℃より高い温度）の飽和蒸気（例えば、１４０℃の飽和蒸気）を発生して、噴出孔３４を介して温度調整空間２８に供給する。また、圧力調整装置９０が、温度調整空間２８の気圧を当該飽和蒸気の蒸気圧と等圧に調整する。
【００８２】
このため、蒸気発生装置８２が発生した飽和蒸気が、噴出孔３４から温度調整空間２８に当該飽和蒸気の蒸気圧と同じ気圧下で開放される。したがって、飽和蒸気が温度調整空間２８に開放されるときの温度の低下（温度調整空間２８の気圧が大気圧の場合には、１４０℃の飽和蒸気を温度調整空間２８に開放すると、１００℃の飽和蒸気になる）を抑制することができ、当該飽和蒸気の温度を保って転写フィルム６０に供給することができる。
【００８３】
これにより、転写フィルム６０を更に短時間で均一に加熱することができる。
【００８４】
なお、第１の実施の形態、又は、第２の実施の形態（変形例を含む）において、蒸気発生装置８２が、液相を含まない乾き飽和蒸気を発生して、転写フィルム６０に供給してもよい。
【００８５】
ここで、飽和蒸気は熱容量が大きくなるのに従って気相の割合が増えていくため、飽和蒸気では乾き飽和蒸気の熱容量が最大となる。このため、飽和蒸気が転写フィルム６０を加熱する際に、飽和蒸気の温度が下がるまでの熱容量の余裕を最大にすることができる。
【００８６】
これにより、転写フィルム６０を更に短時間で均一に加熱することができる。
【００８７】
また、第１の実施の形態、又は、第２の実施の形態（変形例を含む）では、固定型２２の上壁２２Ａが転写型２０の上壁になると共に可動型２４の下壁２４Ａが転写型２０の下壁になるように配置したが、図５に示す如く、固定型２２の上壁２２Ａ及び可動型２４の下壁２４Ａが転写型２０の側壁になるように配置してもよい。（図５では、第1の実施の形態の転写型２０を配置変更したものを示している。）
【００８８】
この場合においても、例えば、可動型２４の周壁２４Ｂの下端に排出孔３６を形成することで、飽和蒸気が転写フィルム６０を加熱して変化した液体を、排出孔３６から容易に排出できる。
【００８９】
さらに、この場合においては、転写フィルム６０が被転写物５０に対して側方に配置されて、飽和蒸気が被転写物５０に対して側方から供給されることで、転写フィルム６０の転写層６６が被転写物５０に転写される。このため、仮に、飽和蒸気の温度が飽和温度を下回ることで飽和蒸気が変化した液体が転写フィルム６０の表面に付着した場合でも、転写フィルム６０が被転写物５０に対して側方に配置されること及び温度調整空間２８での飽和蒸気の対流により、転写フィルム６０の表面から液体が取り除かれつつ、新たに供給される飽和蒸気によって継続して転写フィルム６０を加熱することができる。これにより、転写フィルム６０全体を均一に加熱することができる。
【符号の説明】
【００９０】
１０            転写装置
５０            被転写物
６０            転写フィルム
８２            蒸気発生装置（加熱手段）
８６            加圧装置（加圧手段）
９０            圧力調整装置（圧力調整手段）
１００          転写装置
【図１】
0005473759.tif 000002
【図２】
0005473759.tif 000003
【図３】
0005473759.tif 000004
【図４】
0005473759.tif 000005
【図５】
0005473759.tif 000006